(57)【要約】　　　（修正有）【課題】小型商品を収納し、効果的に陳列することのできる吊り下げ用袋を大量に製造する方法を提供する。【解決手段】吊り下げ用袋を大量に製造するために、平フイルム１０に二列の芯材１と二列の蓋部にそれぞれ粘着剤を塗布して、平フイルムを両端縁より内側中央に折り畳み、二列の吊り下げ用袋を製造する方法を採用した。【選択図】　図４
2004042590.tif 000002
【特許請求の範囲】
【請求項１】
吊り下げ用袋の吊り下げ部に剛性な芯材を有する吊り下げ部と、この吊り下げ部の下方につながる袋部とを有し、それらの表フィルムと裏フィルムとの少なくとも両端縁どうしが接着されて形成される袋部とを備えた吊り下げ用袋、吊り下げ部には、フックが形成されている。袋部には、開閉用蓋部を設け、蓋部に封緘用の粘着剤を塗布してなる吊り下げ用袋の製造方法において、
長尺なる平フィルム面上の中央より両側に進行方向二列の粘着剤を塗布し、粘着剤塗布面に粘着剤が他の物に接着させないための剥離紙を貼り付けて搬送する工程と、
平フィルムの吊り下げ部に該当する位置に、二列の芯材を設けて搬送する工程と、
上記二列芯材の両外側を折り部とする、平フィルムを面上方向に両端縁より中央に折り畳む工程と、
上記折り畳まれた、芯材の内側端を平フィルムの表フィルムと裏フィルムを接着させて、区画する方法で接着線を設け、吊り下げ部と袋部を区画する工程と、
上記吊り下げ部に各吊り下げ用フックが形成される工程と、
前流れ工程における、二列粘着剤塗布面の間を進行方向に、各一列にスリット切断をして、二列の吊り下げ部と袋部を設けた長尺なるフィルムを搬送する工程と、
上記搬送される、長尺フィルムを、所定幅ごとに熱切断接着を行い、二列の吊り下げ用袋を分離する工程と、
を含むことを特徴とする、吊り下げ用袋の製造方法。
【発明の詳細な説明】
【０００１】
【発明が属する技術分野】
本願発明は、二列吊り下げ袋を同時に製造する工程においての製造方法に関する。
【０００２】
【従来の技術】
小型商品を収納し、効果的陳列することができるようにした包装用袋として、吊り下げ用袋がある。この吊り下げ用袋は、吊り下げ部と、この吊り下げ部の下方につながる袋部とを有し、吊り下げ部には、フックが形成されている。吊り下げ用袋としては、垂直状の陳列壁から複数の陳列棒が形成されたものが使用され、　この陳列棒に上記フックを引っ掛けるようにして、商品が収納された上記の吊り下げ用袋が展示される。
【０００３】
吊り下げ部は、これに成形されたフックを介して吊り下げ用袋全体を陳列棒に吊り下げた状態において、商品の重さによって変形しないように、比較的剛性な芯材を用いる。
【０００４】
さらに、袋部は、開閉蓋を有し、蓋部においては、開封するための粘着剤を塗布されている。
また、塗布面には封緘時以外に他の物に接着させないための、剥離紙が張り付けてある。
【０００５】
従来の吊り下げ用袋の製造方法は、長尺なる平フィルムを中央に芯材をあてがって搬送し、芯材の端縁にそって、内側になるように、半折りする。
【０００６】
半折りされたフィルムを一方のフィルム端より延出し、延出部を袋部の蓋部として設ける、蓋部に粘着剤を塗布し塗布面に剥離紙を貼り付け袋部の蓋部を形成する。
【０００７】
前流れの表フィルムと裏フィルムに挟み込まれた芯材の下方を表フィルムと裏フィルムを接着させて、吊り下げ部と袋部を区画する。
【０００８】
上記吊り下げ部に各吊り下げ用フックが形成される。
【０００９】
上記搬送される、長尺フィルムを、所定幅ごとに熱切断接着を行い、一列の吊り下げ用袋を分離する方法にて製造している。
【００１０】
上記の事情において、小型商品を収納し、効果的に陳列することのできる吊り下げ用袋を大量に作り出すことの出来る製造方法を提供することをその課題としている。
【００１１】
【発明が解決しようとする課題】
上記の課題を解決するため、本願発明では、次の技術的手段を採用した。
【００１２】
従来の吊り下げ用袋にあっては、平フィルムを一方方向に半折りして、一列の芯材をあてがって搬送し、一列の粘着剤を塗布して、吊り下げ部と袋部を形成しておった。よって、大量製造をすることに問題があった。
【００１３】
本発明は、平フィルムに二列の芯材をあてがつて搬送することと、粘着剤を二列塗布し平フィルムを芯材に沿って、中央に両端縁より折り畳むことによって、二列の吊り下げ用袋が容易に製造される、その製造方法を提供することを目的としている。
【００１４】
【課題を解決するための手段】
本願発明は、上記の課題を解決するため、次の技術的手段を講じている。
【００１５】
本発明は、吊り下げ用袋を大量に製造するために、平フィルムに二列の芯材と二列の蓋部にそれぞれの粘着剤を塗布して、平フィルムを両端縁より内側中央に折り畳み、二列の吊り下げ用袋の製造方法を採用した。
【００１６】
【発明の実施例の形態】
本願発明を実施例にもとづき図面を参照して説明する。
【００１７】
図１において、吊り下げ用袋を説明する。剛性な芯材１を有し、芯材１下方に吊り下げ部２と袋部３を区画する接着線１１を設けて、各部を区画する。
吊り下げ部２にはフック６を形成して，吊り下げ陳列を行う。
【００１８】
さらに、蓋部７には、粘着剤８を塗布し、塗布面に他の者に接着させないための剥離紙９を貼り付けて、商品収納後の封緘に用いる構成である。
【００１９】
図３より、本発明の吊り下げ用袋の製造方法の実施例を説明する。
長尺なる平フイルム面上１０の中央より両側に進行方向二列の粘着剤８，８を塗布し、粘着剤塗布面に粘着剤が他の物に接着させないための剥離紙９，９を貼り付ける。さらに、平フィルム面上に粘着剤８，８と平行に吊り下げ部２に該当する位置に、二列の剛性な芯材１，１を設けて搬送する。
【００２０】
上記平フィルムを二列芯材の両外側を折り部１４とする位置より、平フィルム面上方向に両端縁より中央に粘着剤面上の剥離紙９にかぶさらない位置に折り畳む。
【００２１】
さらに、折り畳まれた、芯材１の内側端を平フィルムの表フィルム４と裏フィルム５を区画する方法で接着線１１を設け、吊り下げ部２と袋部３を区画する。
【００２２】
上記吊り下げ部２に各吊り下げ用フック６が形成される。
【００２３】
前流れ工程における、二列粘着剤塗布面８，８の間を進行方向に、各一列にスリット切断１２を行い、二列の吊り下げ部２と袋部３を設けた長尺なるフィルムを搬送する。
【００２４】
上記搬送される長尺フィルムを、一袋に、所定幅ごとに熱切断接着１３を行い、二列の吊り下げ用袋を一袋に分離する。この熱切断接着作用により同時に、一袋における表フィルムと裏フィルムの両端縁どうしが接着される。
以上　吊り下げ用袋の製造方法を一実施例を参照して説明する。
【００２５】
なお、上記各工程の順序は、上記したものに限定されず、必要に応じて、工程の順序を入れかえてもよい。
【００２６】
もちろん、この発明の範囲は上述した実施方法に限定されるものではなく、特許請求の範囲に記載した事項の範囲内での変更は、すべて本願発明の範囲に含まれる。
【００２７】
【発明の効果】
本願発明は、以上説明したように構成されているので、以下に記載されるような効果を達成することができるものである。
【００２８】
本願発明は、吊り下げ用袋の吊り下げ部に剛性な芯材を有し、吊り下げ部下方に袋部を備え、さらに、下方に蓋部を設け、蓋部には粘着剤が塗布され塗布面に、封緘時まで、他の物に接着しないための剥離紙を貼り付けた、吊り下げ用袋を同時に二列製造することのできる、吊り下げ用袋の製造方法である。
本願発明は従来より新しい発明の効果である。
【００２８】
【図面の簡単な説明】
【図１】本願発明に係る吊り下げ用袋の一実施例を説明する正面図である。
【図２】図１のＡ−Ｂ線に沿う断面図である。
【図３】本願発明の吊り下げ用袋の製造方法を説明する説明図である。
【図４】本願発明の吊り下げ用袋の製造方法を説明する説明図である。
【図５】本願発明の吊り下げ用袋の製造方法を説明する説明図である。
【図６】本願発明の吊り下げ用袋の製造方法を説明する説明図である。
【図７】本願発明の吊り下げ用袋の製造方法を説明する説明図である。
【図８】本願発明の吊り下げ用袋の製造方法を説明する説明図である。
【図９】本願発明の吊り下げ用袋の製造方法を説明する説明図である。
【符号の説明】
１　芯材
２　吊り下げ部
３　袋部
４　表フィルム
５　裏フィルム
６　フック
７　蓋部
８　粘着剤
９　剥離紙
１０　平フィルム
１１　接着線
１２　スリット切断
１３　熱切断接着
１４　芯材外側折り部
【図１】
2004042590.tif 000003
【図２】
2004042590.tif 000004
【図３】
2004042590.tif 000005
【図４】
2004042590.tif 000006
【図５】
2004042590.tif 000007
【図６】
2004042590.tif 000008
【図７】
2004042590.tif 000009
【図８】
2004042590.tif 000010
【図９】
2004042590.tif 000011